(57)【要約】【課題】ガーター上に外囲板や太陽電池モジュールパネルなどの板状の部材を簡単な構成で強固に固定できるようにするとともに雨漏りを防止する。【解決手段】下地材２の傾斜した支持面上にバックアップ材４を配置し、このバックアップ材４に雨水の流れる方向に沿って延びる溝６を複数互いに平行に形成する。各溝６には、中空部２６を有するの凸部８ｄが形成されたガーター８が嵌合配置される。ガーター８は下地材２側にねじ１２により固定される。凸部８ｄの載置部８ｅ上の一対の外囲板１４の側部の上に押さえ金物１８が当接配置され、この押さえ金物１８にねじ２２が挿入され該ねじ２２は載置部８ｅのねじ穴２４にねじ込まれる。中空部２６は下地材側２に設けた排水部に連結している。【選択図】  図１
2004346557.tif 000002
【特許請求の範囲】
【請求項１】
下地材の支持面上にバックアップ材を配置し、該バックアップ材に雨水の流れる方向に沿って延びる溝を複数互いに平行に形成し、前記各溝に、中空の凸部が形成されたガーターを嵌合配置し、前記ガーターを前記下地材側に固定し、前記凸部の上部を構成する載置部に前記凸部の中空部に連通するねじ穴を設け、前記バックアップ材上面に複数枚の外囲板を前記載置部上で所定の間隔を存して隣接するように配置し、前記載置部上の一対の外囲板の側部の上に押さえ金物を当接配置し、前記押さえ金物にねじを挿入し該ねじを前記載置部のねじ穴にねじ込み前記押さえ金物を前記載置部上の一対の外囲板の側部に圧着し、該外囲板を前記載置部に固定し、前記中空部を前記下地材側に設けた排水部に連結したことを特徴とする外囲体。
【請求項２】
前記外囲板上に複数の太陽電池モジュールパネルなどの板状の構築物を前記載置部上で所定の間隔を存して隣接するように配置し、該載置部上の一対の構築物の側部の上に押さえ金物を当接配置し、前記押さえ金物にねじを挿入し、該ねじを前記載置部のねじ穴にねじ込み、前記押さえ金物を前記一対の構築物の側部に圧着し、該構築物を前記外囲板とともに前記載置部に固定したことを特徴とする請求項１に記載の外囲体。
【請求項３】
前記載置部の高さを前記バックアップ材の上面の高さと略同一としたことを特徴とする請求項１に記載の外囲体。
【発明の詳細な説明】
【０００１】
【発明の属する技術分野】
本発明は、屋根や外壁などに用いられる外囲体に関する。
【０００２】
【従来の技術】
従来、下地材に溝を設け、この溝にガーターを固設し、該ガーター上で一対の外囲板を接合し、外囲板の接合部から漏れる雨水をガーターで受ける屋根などの構成が知られている（例えば特許文献１参照）。
【０００３】
【特許文献１】
特開平８−１６５７４９号公報（第１ページ、第１図）
【０００４】
【発明が解決しようとする課題】
下地材の溝に固定されたガーター側に外囲板を結合する場合、従来、ジョイナーと呼ばれている押さえ金具をガーター側の突起物などに係合し、押さえ金具を外囲板に圧接している。しかしながら、この係合構造では、強風などに対して十分な強度を得られなかった。その解決方法として、外囲板に引っ掛け部を屈折形成し、この引っ掛け部をガーター側の板端受け部に係合する構成が案出されているが（特許文献１参照）、構造が複雑となるという問題点があった。
本発明は上記問題点を解決することを目的とするものである。
【０００５】
【課題を解決するための手段】
上記目的を達成するため、本発明は、下地材の支持面上にバックアップ材を配置し、該バックアップ材に雨水の流れる方向に沿って延びる溝を複数互いに平行に形成し、前記各溝に、中空の凸部が形成されたガーターを嵌合配置し、前記ガーターを前記下地材側に固定し、前記凸部の上部を構成する載置部に前記凸部の中空部に連通するねじ穴を設け、前記バックアップ材上面に複数枚の外囲板を前記載置部上で所定の間隔を存して隣接するように配置し、前記載置部上の一対の外囲板の側部の上に押さえ金物を当接配置し、前記押さえ金物にねじを挿入し該ねじを前記載置部のねじ穴にねじ込み前記押さえ金物を前記載置部上の一対の外囲板の側部に圧着し、該外囲板を前記載置部に固定し、前記中空部を前記下地材側に設けた排水部に連結したものである。
また本発明は、前記外囲板上に複数の太陽電池モジュールパネルなどの板状の構築物を前記載置部上で所定の間隔を存して隣接するように配置し、該載置部上の一対の構築物の側部の上に押さえ金物を当接配置し、前記押さえ金物にねじを挿入し、該ねじを前記載置部のねじ穴にねじ込み、前記押さえ金物を前記一対の構築物の側部に圧着し、該構築物を前記外囲板とともに前記載置部に固定したものである。
また本発明は、前記載置部の高さを前記バックアップ材の上面の高さと略同一としたものである。
【０００６】
【発明の実施の形態】
以下に本発明の実施の形態を添付した図面を参照して詳細に説明する。
２は屋根や外壁などの下地材であり、本実施形態では、複数のＣ型鋼が用いられている。下地材２は、図示したＣ型鋼以外に野地板などの合板、コンクリートその他の材料によって構成することができる。下地材２は、傾いた支持平面を形成し、該支持平面上には補強板（図示省略）などを介して建築用発泡材、グラスウール、合板などから成るバックアップ材４が載置されている。
【０００７】
前記下地材２上のバックアップ材４には、紙面垂直方向に、建築物の棟から軒先に延びる溝６が複数、互いに平行に形成されている。前記溝６の長手方向は、前記下地材２の支持平面の傾きの方向に対して平行に設定されている。８はアルミニウムなどの金属から構成された紙面垂直方向に延びる長尺状のガーターであり、その長手方向に延びる底板部８ａと底板部８ａの左右両側に形成された立ち上がり部８ａ，８ｂとにより、紙面垂直方向に延びる凹入部１０が形成されている。
【０００８】
前記凹入部１０は、前記溝６に嵌合するのに適した寸法に設定されている。前記立ち上がり部８ｂ，８ｂには、これに対して外側に９０度屈折した上位水平部８ｃ，８ｃが一体的に形成されている。８ｄは前記底板部８ａの中央に一体的に形成された中空の凸部であり、これの上部に紙面垂直方向に延びる帯状の載置部８ｅが形成されている。前記載置部８ｅは前記上位水平部８ｃ，８ｃと同一高さに設定されている。前記底板部８ａには、前記凸部８ｄの両側に位置して、リブ８ｆ，８ｆが立設され、該リブ８ｆ，８ｆの各上端に板受け部８ｇ，８ｇが一体的に形成されている。
【０００９】
前記板受部８ｇ，８ｇは、前記上位水平部８ｃ，８ｃ及び凸部８ｄの載置部８ｅの高さと同一の高さに設定されている。前記溝６の各々には、ガーター８の凹入部１０が嵌合配置され、上位水平部８ｃ，８ｃがバックアップ材４の上面に当接している。前記ガーター１０は、上位水平部８ｃ，８ｃとバックアップ材４，４を貫き、前記下地材２にねじ込まれたビス１２によって、下地材２に固定されている。
【００１０】
１４，１４は紙面垂直方向に延びる長尺帯状の金属製の外囲板であり、複数、バックアップ材４，４の上面に、前記溝６上で互いに隣接するように、載置され、各外囲板１４，１４の前記溝６上の側部が図示のように適宜の間隔を存して、前記凸部８ｄの載置部８ｅ上で、平行に対向している。１６，１６は、太陽電池モジュールパネルであり、前記外囲板１４，１４上に載置され、隣接する一対の太陽電池モジュールパネル１６，１６の側部が、図示するように、適宜の間隔を存して、前記凸部８ｄの載置部８ｅ上で、平行に対向している。
【００１１】
１８は押さえ金物であり、前記溝６及びガーター８の長さと同長の、紙面垂直方向に延びる金属材により構成されている。前記押さえ金物１８の肉厚部には、その長手方向の適宜の間隔ごとに、ねじ挿入孔が穿設されている。押さえ金物１８の肉厚部の上部の両側には、帯板状の押さえ部１８ａが押さえ金物１８の全長に亘って形成されている。凸部８ｄ上の、一対の太陽電池モジュールパネル１６，１６の対向部の上面には、押さえ金物１８が配置され、該対向部が押さえ部１８ａにより塞がれる。
【００１２】
押さえ金物１８のねじ挿入孔２０に挿入されたボルト２２が、載置部８ｅに穿設されたねじ穴２４にねじ込まれており、このボルト２２の締め付け力により押さえ部１８ａが、一対の太陽電池モジュールパネル１６，１６の対向部の上面に圧着している。これにより、太陽電池モジュールパネル１６，１６の対向部と、外囲板１４，１４の対向部は、押さえ部１８ａと載置部８ｅに挟圧され、該状態で、凸部８ｄに固定されている。
【００１３】
前記ねじ穴２４は、凸部８ｄの中空部２６に連通し、該中空部２６の下流側は、下地材２側に取り付けられた樋（図示省略）などの排水部に連結し、ねじ穴２４から中空部２６に入った雨水が、この排水部に排出されるように構成されている。上記実施形態では、外囲板１４，１４の上に太陽電池モジュールパネル１６，１６を装置したが、外囲板１４，１４のみで外囲体を構成しても良く、外囲板１４，１４の上に太陽電池モジュールパネル１６，１６などの板状の構築物を取り付けるか否かは本発明の必須要件ではない。
【００１４】
上記した構成において、押さえ金物１８をガーター８側に固定するためのねじ穴２４から雨水が浸入しても、この雨水は、凸部８ｄの中空部２６を伝わって、建築物の軒先の樋などの排水部（図示省略）に排水される。また、凸部８ｄを伝わって、凹入部１０の第１のチャンバー１０ａ，１０ａに浸入した雨水２１は、リブ８ｆによって第２のチャンバー１０ｂ，１０ｂへの進行が阻止される。この阻止作用により、毛細管現象によって、雨水が凹入部１０の外に伝わり、ガーター８の下面側に回ることがない。雨水がガーター８の下面側に回ると、ガーター８の下に、たとえ防水シートが敷かれていても、雨水が下地材２に達してしまうことがあり、雨漏りの原因となってしまう。なお、上記下地材２を合板などの野地板により構成し、この野地板に合板などのバックアップ材を一体的に構成してもよい。
【００１５】
【発明の効果】
本発明は上述の如くガーターに中空部が形成された凸部を設け、この凸部に外囲板などを押さえる押さえ金物をねじ止めできるようにしたので、外囲板や太陽電池モジュールパネルなどを簡単に下地材上に強固に構築することができ、しかも凸部のねじ止め部から浸入した雨水を中空部を通じて外部に排出できるので、凸部のねじ止め部から浸入した雨水がガーターの下面側に回ることがなく、雨漏りを防止することができる。
【図面の簡単な説明】
【図１】本発明の一実施形態である外囲体の断面説明図である。
【符号の説明】
２      下地材
４      バックアップ材
６      溝
８      ガーター
８ａ    底板部
８ｂ    立ち上がり部
８ｃ    上位水平部
８ｄ    凸部
８ｅ    載置部
８ｆ    リブ
８ｇ    板受部
１０    凹入部
１２    ビス
１４    外囲板
１６    太陽電池モジュールパネル
１８    押さえ金物
２０    ねじ挿入孔
２１    雨水
２２    ボルト
２４    ねじ穴
【図１】
2004346557.tif 000003